(57)【要約】【課題】　汗腺と共に皮脂腺をも効果的に刺激し、ダイオキシン類を排泄することのできる遠赤外線健康器を提供する。【解決手段】　軸方向に入れ子式に接続される複数個の半円筒状体１１，１２と、その内面略全面に設けられたカーボンブラックを含む面状発熱体とを備え、面状発熱体を５５〜７０℃の温度に通電加熱する。【選択図】　図１
2004081871.tif 000002
【特許請求の範囲】
【請求項１】
　軸方向に入れ子式に接続される複数個の半円筒状体と、
前記半円筒状体の内面略全面に設けられた抵抗体としてカーボンブラックを含む面状発熱体と、
使用者の体を支持する底面と、を備え、
前記底面の前記半円筒状体の内面に面する表面は、遠赤外線の反射材を含んでいることを特徴とする遠赤外線健康器の使用方法であって、
前記面状発熱体を通電加熱して、使用者の体表面に遠赤外線を照射することにより、汗腺からの発汗及び皮脂腺からの皮脂の排泄を促進することを特徴とする方法。
【請求項２】
　請求項１に記載の遠赤外線健康器の使用方法であって、
前記面状発熱体を５５〜７０℃の温度に通電加熱することを特徴とする方法。
【請求項３】
　請求項１又は２のいずれか１項に記載の遠赤外線健康器の使用方法であって、
前記面状発熱体を通電加熱して、前記複数個の半円筒状体の内部の温度を、人が発汗しない温度又は発汗する直前の温度に調整することを特徴とする方法。
【請求項４】
　請求項３に記載の遠赤外線健康器の使用方法において、
汗腺及び皮脂腺から汗及び皮脂とともにダイオキシン類の排泄を促すことを特徴とする方法。
【発明の詳細な説明】
【技術分野】
【０００１】
　本発明は、遠赤外線を全身に照射して発汗等により健康増進を図る遠赤外線健康器、遠赤外線健康法、及びダイオキシン類排泄方法に関する。
【背景技術】
【０００２】
　従来、遠赤外線を全身に照射して血行、発汗を促進するいわゆる遠赤外線サウナが知られている。この遠赤外線サウナは、密閉箱状体内に全身入るか首だけ出して位置し、箱体内に設けた遠赤外線加熱手段により全身を加熱するようにしたものである。
【特許文献１】特開平０８−１１２３０２号公報。
【特許文献２】特開平０４−３４１２７１号公報。
【発明の開示】
【発明が解決しようとする課題】
【０００３】
　従来のサウナは、一般に、次のような欠点があった。
(1)箱体内に設けた椅子に着座して高温に加熱し、強制的に発汗を促すものであり、身体に無理がかかった状態で全身の血行及び筋肉を刺激することになり好ましくない。また、皮膚の汗腺とともに皮脂腺をも刺激するものではない。
(2)健康のために使用するのであるが、頭が高熱で足が低温の温度状態、すなわち頭熱足寒状態となり、健康の第一原則である「頭寒足熱」と逆であって、健康の法則に則って入ることが出来ない。
【０００４】
(3)密閉室内の状態で入るため、他人の吐いた酸素不足の空気を吸ったり、空気伝染で耐性菌化した結核菌に感染する危険性が高い。
(4)侵襲性を少なくするために下半身浴が有効な場合があるが、下半身浴は不可能である。
(5)汗はかかず、血行を良くし、新陳代謝を促進する光線浴はサウナでは不可能である。
(6)寝たままで、２４時間連続使用できない。
(7)病人や寝たきりの人が使用できない。
【０００５】
　本発明は、このような従来のサウナの欠点を除いた健康器及び健康法を提供すること、特に汗腺と共に皮脂腺をも効果的に刺激することのできる遠赤外線健康器及び遠赤外線健康法を提供することを目的とする。
　また、近年、環境汚染物質としてのダイオキシン類に対する関心が高まっている。ダイオキシン類とはポリ塩化ジベンゾ−ｐ−ジオキシン（ＰＣＤＤ）とポリ塩化ジベンゾフラン（ＰＣＤＦ）の総称であり、化学物質の合成過程や燃焼過程などで生成される。ダイオキシン類は非極性で脂溶性の有機物質であり、青酸カリの１０００倍という強い急性毒性を有し、その他にも発ガン性、生殖毒性、免疫毒性、内分泌障害など幅広い毒性を有し、ヒトの体内に取り入れられると主に脂肪組織に蓄積する。従って、摂取されて体内に蓄積されたダイオキシン類は速やかに体外に排泄することが望まれるが、ダイオキシン類は代謝されにくいため適当な方法がなかった。
　本発明は、摂取されて体内に蓄積されたダイオキシン類を効果的に体外に排泄する方法を提供することをも目的とする。
【課題を解決するための手段】
【０００６】
　本発明による遠赤外線健康器は、軸方向に入れ子式に接続される複数個の半円筒状体と、半円筒状体の内面略全面に設けられた抵抗体としてカーボンブラックを含む面状発熱体とを備えることを特徴とする。面状発熱体は、５５〜７０℃の温度、より好ましくは６０〜６５℃の温度に通電加熱される。
　本発明による遠赤外線健康法は、遠赤外線を照射することにより、汗腺からの発汗及び皮脂腺からの皮脂の排泄を促進することを特徴とする。
【０００７】
　本発明による遠赤外線健康法は、また、５５〜７０℃の温度に通電加熱されたカーボンブラックを含む面状発熱体からの遠赤外線を体表面に照射することにより、汗腺からの発汗及び皮脂腺からの皮脂の排泄を促進することを特徴とする。
　本発明による遠赤外線健康法は、また、遠赤外線を放射する面状発熱体への電力供給を調整して、密閉されたドーム内の温度を発汗しない温度又は発汗直前の温度に調整して使用することを特徴とする。使用者は、密閉されたドーム内に全身あるいは身体の一部を入れて、遠赤外線の照射を受ける。
【０００８】
　本発明によるダイオキシン類排泄方法は、前述の遠赤外線健康法により、汗腺から汗及び皮脂と共にダイオキシン類を排泄することを特徴とする。
　ヒトの皮膚は、汗腺、皮脂腺等の器官を備え、全身の１６％を占める臓器である。気温が上昇するとヒトは汗をかくが、これは汗腺から排泄される汗である。汗腺から排泄される汗は尿とほぼ同質の汗であり、成分として水、塩化ナトリウム、尿酸、アンモニア、アミノ酸、カリウム、クレアチン、尿素などを含んでいる。汗腺からの発汗は、気温上昇以外にも入浴、サウナ、運動、解熱剤の服用等によっても促進される。
【０００９】
　一方、皮脂腺は、体内脂肪と同じ脂肪を蓄えて排泄し、皮膚を脂で覆って保護している。皮脂腺からの汗（皮脂）には、コレステロール、脂肪酸エステル、乳酸、余分の皮下脂肪等が含まれ、人間の脂・体脂肪がにじみ出てくるようなものである。また、体脂肪には、摂取した食物や飲料、呼吸、あるいは経皮的に身体内に取り入れられた水銀、カドミウム、鉛等の重金属類や、昨今環境ホルモン（外因性内分泌かく乱化学物質）として話題になっている化学物質、発ガン性物質等が蓄積されると言われており、皮脂腺からの脂汗の排泄を促すことで、これら体脂肪に融け込んでいる有害物質を体外に排泄することができる。強い急性毒性、発ガン性、生殖毒性、免疫毒性、内分泌障害など幅広い毒性を有することで知られるダイオキシン類も脂肪組織に蓄積するから、皮脂腺からの脂汗の排泄を促すことで、これら体脂肪に融け込んでいるダイオキシン類をも効果的に体外に排泄することができる。
【００１０】
　皮脂腺からの皮脂の排泄は、入浴やサウナ、運動によっては促進することができない。しかし、生体細胞が最も良く共振活動する波長５〜２０μｍの遠赤外線を照射し、これを共鳴吸収現象により身体内部に深達させて皮脂腺を刺激することで、皮脂の排泄を促進することができる。通電による抵抗加熱で５５〜７０℃の温度、より好ましくは６０〜６５℃の温度に加熱されたカーボンブラック面状発熱体は、この生体細胞に共鳴吸収されやすい遠赤外線を効率よく発生することができ、皮脂腺を効果的に刺激する。
【００１１】
　このように、本発明の遠赤外線健康器は、皮膚機能を活性化し、皮膚呼吸と血液循環を良くして新陳代謝を活発にし、汗腺からの大量の発汗と、皮脂腺からの脂汗という２種類の汗の排泄を促すことができ、特に皮脂腺から体内に蓄積した有害物質（ダイオキシン類を含む）を効果的に排泄することができ、健康増進に寄与することができる。
【００１２】
　また、密閉されたドーム内の温度を発汗しない温度あるいは発汗直前の温度に調整して使用すると、体温は３８℃位までの上昇にとどまって、発汗せず維持される。アメリカの免疫学会の最新学説によれば、体温が１℃上昇する毎に白血球の免疫活性は６倍になるので、平熱が３６．５℃とすると、体温を３８℃に上昇して維持すると、免疫活性は（３８−３６．５＝１．５℃）即ち６×６／２＝１８倍となり、難病に対する自然治癒力の向上に役立つ。
【発明の効果】
【００１３】
　本発明の遠赤外線健康器によると、皮膚機能を活性化し、皮膚呼吸と血液循環を良くして新陳代謝を活発にし、汗腺からの大量の発汗と、皮脂腺からの脂汗という２種類の汗の排泄を促すことができ、特に皮脂腺から体内に蓄積した有害物質、例えばダイオキシン類を効果的に排泄することができ、健康増進に寄与することができる。
【発明を実施するための最良の形態】
【００１４】
　以下、図面を参照して本発明の実施の形態を説明する。図１は本発明による遠赤外線健康器の全体構成を説明する模式図、図２は使用状態の横断面模式図、図３は面ヒーター（面状発熱体）の説明図、図４は上部ドームの詳細図、図５は使用状態の縦断面模式図である。
　図１に略示するように、この遠赤外線健康器は半円筒状の上部ドーム１１と下部ドーム１２とを備え、使用者は上部ドーム１１と下部ドーム１２及び床の遠赤外線を反射するシート１５によって形成される内部の空間に横たわる。下部ドーム１２は上部ドーム１１より径が小さな半円筒形をしており、上部ドーム１１と下部ドーム１２とは密閉状態を保ったままドームの軸方向に入れ子式に移動できるようにして結合されている。従って、使用者の身長に合わせて上部ドーム１１と下部ドーム１２からなるドーム全体の長さを調整することができる。下部ドーム１２の端部は半円形の板で閉じられている。上部ドーム１１及び下部ドーム１２からは電気コード１６，１７が引き出され、コントローラ１４に接続されている。コントローラ１４は、また電気コード１８を介して電源、すなわち家庭用コンセント等に接続される。
【００１５】
　上部ドーム１１の端部には使用者の首部を柔らかく包んでドーム内部を密閉状態に保つネックカバー１３が設けられている。ネックカバー１３は布製とすることができ、ネックカバー１３のドーム内に面する表面に遠赤外線反射加工を施しても良い。遠赤外線反射加工は、例えば遠赤外線を反射するアルミニウム蒸着シート等を縫い付けることで行うことができる。使用者は、床シート１５の上にタオル等を敷いて、その上に横たわる。床シート１５は、アルミニウムを蒸着したウレタンシート等、遠赤外線を反射できるものとするのが好ましい。使用者の姿勢は、仰向け、横向き、うつ伏せなど使用者の好みに合わせて決めればよい。腰や背中が凝っている場合などに、うつ伏せで使用するのも一つの方法である。このような使用法は在来のサウナでは不可能である。
【００１６】
　上部ドーム１１及び下部ドーム１２の内面には、ほぼその全面にわたって遠赤外線を放射する面ヒーターが設置されている。図示した例では、上部ドーム１１は湾曲した内面に沿って２面の面ヒーター２１，２２を有する（図２，図４参照）。また、下部ドーム１２は湾曲した内面に沿って２枚の面ヒーター２３，２４を有すると共に、端部の半円形の板の部分にも面ヒーター２５を有する。上部ドーム１１に設けられた２面の面ヒーター２１，２２は、典型的にはドームの内部に横たわった使用者の胸部（背）と腹部（腰部、臀部）を遠赤外線照射し、下部ドーム１２に設けられた３面の面ヒーター２３，２４，２５は、使用者の大腿部、すね又は膨脛部及び足裏を遠赤外線照射する。
【００１７】
　図３は本発明で使用した面ヒーターの説明図であり、図３（ａ）は平面図、図３（ｂ）はそのＡ−Ａ断面図である。この面ヒーター３０は、図３（ｂ）の断面図に示すように、２層のシート３１，３３でカーボンブラック層３２を挟んだ３層構造を有している。面ヒーターの両端部にはカーボンブラック層３２に接触して電極３４，３５が設けられている。電極３４，３５を介してカーボンブラック層３２に通電することにより、カーボンブラック層３２全体が抵抗加熱によって熱せられ、遠赤外線を放射する。本発明では、面ヒーターの温度が６０℃になるように面ヒーターの電力を調整する。上部ドーム１１と下部ドーム１２とは別々に調整できる。ヒーター温度は、コントローラ１４を操作して微調整することができる。また、コントローラ１４のタイマー機能を用いて面ヒーターへの通電時間を設定することもできる。
【００１８】
　上部ドーム１１の下部ドーム１２と重なる端部の下面には、図４に示すように、下部ドーム１２の上面との間の隙間を密閉する密閉機構４０が設けられている。この密閉機構４０は、上部ドーム１１の端部内面にタッカー止めされたオス型マジックテープ４１と、裏面にメス型マジックテープが貼り付けられたフェルト様テープ４２からなる。裏面にメス型マジックテープが貼り付けられたフェルト様テープ４２は、マジックテープ同士のかみ合わせによってフェルト面が外側になるようにして上部ドーム１１の端部下面に固定される。この密閉機構４０により、入れ子式に結合された上部ドーム１１と下部ドーム１２の間の隙間が密閉され、また密閉状態のままドーム空間の長さを自由にスムーズに調整することができる。長期間の使用によってフェルトが劣化した場合には、裏面にメス型マジックテープが貼り付けられたフェルト様テープ４２の部分だけを新しいものと交換することで密閉機能を回復することができる。
【００１９】
　本発明の遠赤外線健康器は、半円筒状の上部ドーム１１と下部ドーム１２によって形成された空間に使用者が横たわり、上部ドーム１１と下部ドーム１２の内面に設けられた面ヒーター２１〜２５によって遠赤外線を照射する構造を採用したため、図５の略断面図に示すように、身体の全表面に沿うように身体の中心線に凹面鏡の焦点が結ぶようにして遠赤外線を照射する。使用者が遠赤外線反射シート１５の上に横たわっている場合には、使用者の身体に吸収されなかった遠赤外線が遠赤外線反射シート１５で反射されて再び使用者に照射されるため、遠赤外線の照射効率を更に高めることができる。また、面ヒーターに直接面していない身体部分にもある程度まで遠赤外線を照射する効果を期待できる。
【００２０】
　ヒーターから放射される電磁波のピーク波長はウィーンの変位法則から算出することができる。現在市販されている家庭用サウナの熱源には表面温度が３００〜５００℃のセラミックヒーターが多く用いられているが、例えば表面温度４００℃（絶対温度６７３Ｋ）の棒ヒーターの場合には、放射されている赤外線のピーク波長は４．３μｍ（２８９７÷６７３＝４．３）である。生体に共鳴吸収されやすい８〜１０μｍの遠赤外線を効率よく放射するには、表面温度を低くしたヒーターを用いる必要がある。例えば、６０℃（絶対温度３３３Ｋ）に加熱した、本発明のカーボンブラックを含む面状ヒーターから放出される遠赤外線のピーク波長は８．７μｍ（２８９７÷３３３＝８．７）である。また、表面温度を低く抑え、所要カロリーを効率よく放射するためには、ヒーターの放射面積を大きくする必要がある。このように、本発明で採用した抵抗体としてカーボンブラックを用いた面ヒーターは、生体に遠赤外線を照射して皮膚細胞を刺激する目的にとって極めて理にかなった最適のものである。
【００２１】
　本発明の遠赤外線健康器は、生体細胞に最も良く吸収されやすい波長５〜２０μｍの遠赤外線を効率よく照射することができるため、皮膚の汗腺を刺激して発汗を促進するとともに、皮脂腺をも刺激して皮脂の排泄を促進することができる。こうして、入浴やサウナ、運動によっては促進することができない皮脂を人為的に排泄することができるようになり、皮下脂肪や体内脂肪にとけ込んで蓄積されている人体にとって有害な化学物質を皮脂と共に体外に排出することが可能になる。
【００２２】
　下記の表１は、本発明の遠赤外線健康器使用中に使用者の皮膚を介して排出された排出物中のダイオキシン類の濃度をガスクロマトグラフ−質量分析法によって分析した結果を示すものである。表には、濃度と併せてその毒性等量も示した。サンプル量は５０ｍｌである。毒性等量（ＴＥＱ）は、２，３，７，８−Ｔ４ＣＤＤ毒性等量（ｐｇ−ＴＥＱ／ｍｌ）であり、毒性等価係数はＩ−ＴＥＦ（International-Toxicity Equivalency Factor(WHO/IPCS,1988)）を適用した。また、定量下限値は、４〜５塩素化物：０．０１ｐｇ／ｍｌ、６〜７塩素化物：０．０２ｐｇ／ｍｌ、８塩素化物：０．０５ｐｇ／ｍｌである。この分析結果から、本発明の遠赤外線健康器が体内のダイオキシン類の排泄に有効なことが分かる。
【００２３】
【表１】
2004081871.tif 000003
【００２４】
　また、人間は寝た姿勢になると、頭と心臓と足先とが重力に対して平衡になるために、坐姿勢より心臓の負担が少ないにも拘わらず血行は３倍良くなることは周知である。昔から病気になれば寝て治したのであって、坐って病気を治すことはない。本発明の遠赤外線健康器は、血行を良くし新陳代謝の良い寝姿勢をした上で、遠赤外線を全身（足の裏まで）照射できる。頭部をドーム内部に入れることも出すことも可能である。
【００２５】
　また、本発明の遠赤外線健康器の外側は空気であるので、身体が加温されて末端毛細血管が拡張するのが容易であるので、血行を良くしても心臓や血管に与える負担が少なくてすむ。この点において、身体外部から湯が圧迫して毛細管の拡張を妨げる風呂や温泉とは全く異なる。したがって、血液循環系や脳神経に障害のある人でも比較的容易かつ安全に使用できる。
【００２６】
　さらに、サウナでは連続して２０分以上は入れないが、本発明の遠赤外線健康器では楽々３０分以上入ることが出来るばかりか、６０分入っても苦しくなることがない。出力を小さくすれば、無重力の掛け布団として中で就寝することが出来るし、ノンアレルゲンの掛け布団にもなる。
【図面の簡単な説明】
【００２７】
【図１】本発明による遠赤外線健康器の全体構成を説明する模式図。
【図２】使用状態の横断面模式図。
【図３】面ヒーター（面状発熱体）の説明図。
【図４】上部ドームの詳細図。
【図５】使用状態の縦断面模式図。
【符号の説明】
【００２８】
　１１…上部ドーム、１２…下部ドーム、１３…ネックカバー、１４…コントローラ、１５…赤外線反射シート、１６〜１８…電気コード、２１〜２５…面ヒーター、３０…面ヒーター、３１，３３…シート、３２…カーボンブラック層、３４，３５…電極、４０…密閉機構、４１…オス型マジックテープ、４２…裏面にメス型マジックテープが貼り付けられたフェルト様テープ
【図１】
2004081871.tif 000004
【図２】
2004081871.tif 000005
【図３】
2004081871.tif 000006
【図４】
2004081871.tif 000007
【図５】
2004081871.tif 000008